(57)【要約】【課題】特に、使用者が自由に冷温調節を行うことができ、また持ち運びも可能なプレート、及びそれを用いた収納装置を提供すること。【解決手段】本実施の形態のプレート（１）は、通電により温度調節が可能な冷温調節ユニット（３）が配置されたことを特徴とする。また、外部端末（１１）と通信可能な通信部（４）を有し、前記外部端末からの指示に基づいて前記冷温調節ユニットの温度が調節可能とされていることが好ましい。また、前記冷温調節ユニットは、ペルチェ素子を備えることが好ましい。【選択図】図２
2018031485.tif 000002
【特許請求の範囲】
【請求項１】
通電により温度調節が可能な冷温調節ユニットが配置されたことを特徴とするプレート。
【請求項２】
外部端末と通信可能な通信部を有し、前記外部端末からの指示に基づいて前記冷温調節ユニットの温度が調節可能とされていることを特徴とする請求項１に記載のプレート。
【請求項３】
前記冷温調節ユニットは、ペルチェ素子を備えることを特徴とする請求項１又は請求項２に記載のプレート。
【請求項４】
収納室を有する収納装置であって、
前記収納室を構成する少なくともいずれかの一つの面に、請求項１から請求項３のいずれかに記載のプレートが用いられていることを特徴とする収納装置。
【請求項５】
前記冷温調節ユニットが配置された前記プレートを備えた前記収納室が複数設けられ、各収納室の温度調節が、外部端末の指示に基づいて一括管理可能に制御されていることを特徴とする請求項４に記載の収納装置。
【請求項６】
前記収納室は、大きさ、或いは形状が変更可能なように組み立て可能に構成されることを特徴とする請求項４又は請求項５に記載の収納装置。
【発明の詳細な説明】
【技術分野】
【０００１】
本発明は、冷温調節が可能な温度調節機能を有するプレート、及びそれを用いた収納装置に関する。
【背景技術】
【０００２】
通常、食品等を、家庭内において、冷蔵・冷凍庫（以下、単に冷蔵庫という）に保管している。冷蔵庫は、野菜室、チルド室、製氷室等、各部屋に合わせて温度設定がなされているが、内容物に合わせて細かく温度調節したり、各部屋を自由に入れ替えたりすることはできない。また、冷蔵庫であるがゆえ、当然のことながら加温調節することはできない。また、従来の冷蔵庫では、決められた場所に備え付けられ、ライフスタイルに合わせて自由に配置換えを行うことはできない。
【先行技術文献】
【特許文献】
【０００３】
【特許文献１】特開２０１５−１４３９８号公報
【発明の概要】
【発明が解決しようとする課題】
【０００４】
従来では、ライフスタイル等の変化に応じて、冷蔵庫のない住空間を実現するための具体的構成に関して開示がなされていない。
【０００５】
本発明は、このような問題に鑑みてなされたものであり、特に、使用者が自由に冷温調節を行うことができ、また持ち運びも可能なプレート、及びそれを用いた収納装置を提供することを目的とする。加えて、外部端末との通信によりリモート操作を可能とするプレート、及びそれを用いた収納装置、更には、用途等に合わせて、収納サイズを自由に変更することができる収納装置を提供することを目的とする。
【課題を解決するための手段】
【０００６】
本発明者らは、特に、ライフスタイルの変化等に柔軟に対応するために、冷蔵庫のない住空間を実現すべく、本発明に至った。すなわち、本発明は以下の通りである。
【０００７】
本発明におけるプレートは、通電により温度調節が可能な冷温調節ユニットが配置されたことを特徴とする。本発明では、温度調節機能を有するプレートを簡単な構成で実現できる。本発明では、冷温調節が可能であり、物を冷すだけでなく温めることもできる。また、本発明のプレートを持ち運びすることもできる。
【０００８】
本発明では、外部端末と通信可能な通信部を有し、前記外部端末からの指示に基づいて前記冷温調節ユニットの温度が調節可能とされていることが好ましい。これにより、外部端末より、温度管理をすることが可能である。
【０００９】
また、本発明では、前記冷温調節ユニットは、ペルチェ素子を備えることが好ましい。これにより、一つの素子で、冷却と加熱を行うことができる。
【００１０】
また、本発明は、収納室を有する収納装置であって、前記収納室を構成する少なくともいずれかの一つの面に、上記に記載のプレートが用いられていることを特徴とする。
【００１１】
また、本発明では、前記冷温調節ユニットが配置された前記プレートを備えた前記収納室が複数設けられ、各収納室の温度調節が、外部端末の指示に基づいて一括管理可能に制御されていることが好ましい。このように、本発明では、複数の収納室に対して温度調節を一括管理することができ、リモート操作が可能である。
【００１２】
また、本発明では、前記収納室は、大きさ、或いは形状が変更可能なように組み立て可能に構成されることが好ましい。このように、収納物の大きさや用途等に応じて、収納室の大きさ等を自由に変更することができる。
【発明の効果】
【００１３】
本発明によれば、使用者が自由に冷温調節を行うことができ、また持ち運びも可能なプレート、及びそれを用いた収納装置を提供することができる。加えて、外部端末との通信によりリモート操作を可能とし、更には、用途等に合わせて、収納サイズを自由に変更することができる。
【００１４】
以上により、冷蔵庫のない住空間を実現できる。
【図面の簡単な説明】
【００１５】
【図１】本発明の実施の形態に係るプレートの部分断面図である。
【図２】本発明の実施の形態に係るプレートの使用形態を説明するための斜視図である。
【図３】本発明の実施の形態に係る収納装置としての収納箱（ユニット）の斜視図である。
【図４】本発明の実施の形態に係る収納装置のブロック図である。
【図５】本発明の実施の形態に係る収納装置としての棚の正面図である。
【発明を実施するための形態】
【００１６】
以下、本実施の形態に係るプレート、及びそれを用いた収納装置について説明する。まずは、冷温調節ユニット３を備えたプレート１について説明する。
【００１７】
図１に示すように、プレート１は、金属板８と、金属板８の一方の面側に配置された冷温調節ユニット３と、冷温調節ユニット３が設けられた側と同じ側に設けられた耐熱層９と、を有して構成される。
【００１８】
金属板８は、熱を通しやすい金属であること以外に特に素材を限定するものでない。また、金属板８の大きさや形状についても特に限定するものでなく、用途等によって種々変更できる。
【００１９】
冷温調節ユニット３は、通電により温度調節可能な構成である。本実施の形態における冷温調節ユニット３は、冷却機能のみならず、加温機能を備えている。温度範囲を限定するものでないが、例えば、冷温調節ユニット３における温度調節範囲は、−４０℃〜６０℃程度である。例えば、冷温調節ユニット３が、ペルチェ素子を備えた構成においては、冷温調節ユニット３を、電源に接続することで、通電させ、このとき、電源の極性に応じて吸熱面と発熱面が反転することで、冷却機能と加温機能とを一つの素子で実現できる。
【００２０】
耐熱層９は、冷温調節ユニット３における温度調節範囲（例えば、上記した−４０℃〜６０℃程度）に対し耐熱性を備えたものであれば、素材を限定するものでないが、例えば、ガラスやアクリル樹脂等を提示することができる。
【００２１】
耐熱層９は、図１に示すように、例えば、ヒートシンク３ａが設けられた冷温調節ユニット３の周囲に配置されていてもよいし、或いは、冷温調節ユニット４の表面全体を覆うように設けることができる。すなわち、プレート１は、冷温調節ユニット４が、金属板８と耐熱層９との間に挟持された構成とすることができる。
【００２２】
図１における金属板８の表面８ａ（冷温調節ユニット３が設けられた面とは逆面）が、温度調節面として機能する。よって、冷温調節ユニット３及び、耐熱層９は、金属板８の裏面側に配置されている。以下、プレート１の表面１ａとは、金属板８の表面８ａのことを示している。
【００２３】
このように、本実施の形態では、冷温調節ユニット３を備えたプレート１を構成することができ、持ち運びを可能（可搬性）とすることができる。すなわち、本実施の形態では、プレート１を屋内のみならず屋外で使用することもできる。なお、プレート１を、住空間に据え置き式に配置することも可能である。
【００２４】
このようなプレート１にあっては、電源に接続して、冷温調節ユニット３を起動させ、図２のように、プレート１の表面１ａに、冷却、或いは加温したい対象物１０を置くことで、プレート１の冷却機能及び加温機能を、対象物１０に対して適切に発揮することができる。
【００２５】
プレート１の使い方は様々であり、図２に示すように、プレート１の表面１ａを水平方向に向けた状態で使用してもよいし、図２に示すプレート１を立てた状態で使用してもよい。
【００２６】
図２に示すように、プレート１には通信部４が設けられており、外部端末１１と無線通信可能とされている。
【００２７】
ここで、外部端末１１としては、携帯電話、スマートフォン、タブレット型端末、ウエラブル端末（スマートグラス等）などの携帯端末（移動通信端末）であってもよいし、パーソナルコンピュータ、多機能テレビ、セットトップボックスなどの固定通信端末であってもよい。
【００２８】
外部端末１１と通信部４との間で情報の送受信が可能である。本実施の形態では、外部端末１１からの指示情報を通信部４で受信し、その指示情報に基づいて、冷温調節ユニット３の温度調節を行うことが可能である。また、ネットワークからの操作も可能であり、外部端末１１にて屋内のみならず屋外からも温度調節を自由に行うことが可能である。
【００２９】
なお、温度調節については、外部端末１１を通じてのみならず、プレート１自体に、或いは、後述する収納箱２０や収納棚３０自体に温度調節ボタンが備えられていてもよい。また、プレート１や、後述する収納箱２０や収納棚３０に現在の温度等が表示される表示部が備えられていてもよい。
【００３０】
本実施の形態では、図２に示す冷温調節ユニット３を備えたプレート１を、図３に示すように、収納箱２０を構成する少なくともいずれか一つの面に用いることができる。
【００３１】
図３に示すように、収納箱２０は収納室２０ａを備え、図３では、収納箱２０の背面に、冷温調節ユニット３を備えたプレート１が用いられている。これにより、収納箱２０内を、冷蔵室、冷凍室、或いは保温室として機能させることができる。
【００３２】
図３に示す収納箱２０を構成する枠２０ｂ内には、電源コードが収容されており、冷温調節ユニット３に電源コードを介して通電可能な他、収納室２０ａに収納された収納物を電源コードに接続することで、収納物に電力を供給することができる。
【００３３】
図３に示す収納箱２０は、従来の冷蔵庫と異なって、自由に持ち運びすることができる。よって、収納箱２０を必要な場所へ移動させることができ、使い勝手がよい。また、従来の冷蔵庫と異なり、収納箱２０の形状の自由度が高い。例えば、収納箱２０を縦長形状のみならず、横長形状としてもよいし、或いは円形状等にすることも可能である。また、例えば、図３では、収納箱２０の収納室２０ａが一つであるが、収納室２０ａを２以上に区切ることもできる。
【００３４】
また、図４のブロック図に示すように、外部端末１１の指示情報を通信部４で受信し、その指示情報に基づいて制御部５にて、冷温調節ユニット３の温度調節を実行する。すなわち、制御部５では、指示情報に基づいて、電流量や電源２の極性を調節して、冷温調節ユニット３の温度を制御する。また、図４に示すセンサ部６にて収納室内の温度を計測でき、制御部５では、センサ部６からの情報も加味して、冷温調節ユニット３の温度調節を精度よく実行することができる。
【００３５】
センサ部６には、温度センサや、重力センサ等を提示できる。温度センサの計測により現在の収納室内の温度を知ることができる。また、重力センサにより、収納室内に物が載置されているか否かを知ることができる。
【００３６】
また、図４に示す記憶部１２により、温度履歴や消費電力の履歴等を記憶しておくことができる。
【００３７】
また、収納箱２０内に、カメラなどの識別センサを配置し、収納室２０ａに収納された収納物の量や材質自体を認識して、最適な温度へ自動で調節するように制御してもよい。
【００３８】
また、図２に示すプレート１や収納箱２０は、持ち運びが可能であるため、例えば、外でのキャンプ時に利用したり、災害時の簡易的な冷温・加温ユニットとしての利用も可能である。
【００３９】
また、図５に示すように、本実施の形態では、冷温調節ユニット３を備えたプレート１を用いて、収納棚３０を構成することができる。
【００４０】
図５に示すように、収納棚３０には複数の収納室が設けられており、例えば、収納室３１、３２、３３には、冷温調節ユニット３を備えたプレート１が用いられている。収納室３１、３２、３３は、個別に温度調節が可能とされており、収納室３１、３２、３３への収納物に応じて、異なる温度に調節することができる。
【００４１】
例えば、図５に示すように、収納室３１には衣服が収納されている。よって、収納室３１では、衣服を最適温に保管すべく個別に温度調節が可能である。また、例えば、収納室３２は、ワインセラーとして、収納室３３は、食品冷蔵庫として、夫々最適な温度に調節可能とされている。また、温度調節不可の収納室３４があってもよく、収納室３４には、特に温度調節の必要のない物を収納することができる。
【００４２】
図５に示す各収納室３１、３２、３３の温度調節は、スマートフォン等による外部端末１１にて一括管理が可能である。例えば、帰宅時間に合わせて、最適な温度調節が成されるようにリモート操作が可能である。
【００４３】
また、図５に示す各収納室３１、３２、３３では、全てが冷却された空間でなく、少なくともいずれか１つが加温調節された空間に制御することができる。よって、従来の冷蔵庫と異なって、食品等の収納のみならず、食品以外の物についても、その物の最適温で保管することが可能になる。
【００４４】
また、図５に示す収納棚３０は、従来の冷蔵庫と異なって、形状の自由度が高い。例えば、収納棚３０を縦長形状のみならず、横長形状としてもよいし、或いは円形状等にすることも可能である。また、図５に示す収納棚３０では、各収納室の大きさ、或いは形状を変更可能なように組み立て可能に構成されている。例えば、収納棚３０を構成する枠３０ａを追加したり、減らしたり、取付位置を変更することで、収納室の大きさや形状を、収納物の大きさや用途等に合わせて種々変更することが可能である。枠３０ａには電源コードが収容されており、枠３０ａの変更に伴い、各収納室の大きさや形状が変更されても、複数の収納室にて電源を取ることができ、自分のライフスタイルに合わせて、収納室毎に温度調節可能な収納棚３０とすることができる。
【００４５】
従来の冷蔵庫は、通常、キッチンに配置するが、本実施の形態における収納棚３０は、配置が自由であり、既存の棚を、本実施の形態の温度調節が可能な収納棚３０として使用することもできる。よって、従来の冷蔵庫によるキッチンのデッドスペースを無くすことができる。このように、冷蔵庫のない住空間を実現することができる。
【００４６】
また、本実施の形態では、例えば、冷温調節ユニット３に、ペルチェ素子を用いており、ペルチェ素子の温度差異を利用した発電により、図示しないバッテリに蓄電することができる。
【００４７】
また、図４に示す収納箱２０や、図５に示す収納棚３０において、正面にガラス扉などを設けることで、収納室内を外から確認することができ、また、収納室内の保温性を高めることができる。なお、扉を設けない箇所があってもよく、扉はガラス以外の不透明なものであってもよい。
【産業上の利用可能性】
【００４８】
本発明によれば、冷蔵庫のない住空間を実現することができ、冷温調節が可能なプレート、及び収納箱や収納棚等の収納装置を提供することができる。よって、食品や食品以外の生活用品を冷したり温めたりすることができる。また、収納棚のように複数の収納室が存在する場合、自分のライフスタイルに合わせて、収納室毎に温度調節を行うことができる。また、インターネットに接続することで、遠隔で温度調節を行うことも可能である。また、温度調節とともに、収納室の大きさや形状を自分仕様に自由にカスタマイズすることができる。
【符号の説明】
【００４９】
１  プレート
２  電源
３  冷温調節ユニット
４  通信部
５  制御部
６  センサ部
８  金属板
９  耐熱層
１０  対象物
１１  外部端末
１２  記憶部
２０  収納箱
２０ａ、３１〜３４  収納室
３０  収納棚
【図１】
2018031485.tif 000003
【図２】
2018031485.tif 000004
【図３】
2018031485.tif 000005
【図４】
2018031485.tif 000006
【図５】
2018031485.tif 000007